(57)【要約】      （修正有）【課題】フライトコンベアのフライト掻き取り面への汚泥脱水ケーキ付着を防止する搬送方法及び搬送装置の提供。【解決手段】汚泥脱水ケーキ１３をフライトコンベア１０で搬送する方法であって、フライトコンベアの掻き取り面に気体を噴射することを特徴とする汚泥脱水ケーキの搬送方法、及び、汚泥脱水ケーキをフライトコンベアで搬送する装置であって、フライトコンベアの掻き取り面に気体を噴射する装置１４を有する汚泥脱水ケーキの搬送装置。【選択図】図１
2019171251.tif 000002
【特許請求の範囲】
【請求項１】
汚泥脱水ケーキをフライトコンベアで搬送する方法であって、前記フライトコンベアの掻き取り面に気体を噴射する、汚泥脱水ケーキの搬送方法。
【請求項２】
汚泥脱水ケーキをフライトコンベアで搬送する汚泥脱水ケーキの搬送装置であって、前記フライトコンベアの掻き取り面に気体を噴射する装置を有する、汚泥脱水ケーキの搬送装置。 
【発明の詳細な説明】
【技術分野】
【０００１】
本発明は、ケーシング内を移動するフライトを介して汚泥脱水ケーキを搬送するフライトコンベアに関し、特にフライト掻き取り面への汚泥脱水ケーキ付着防止に関する。
【背景技術】
【０００２】
排水処理場では、発生する汚泥を脱水機で脱水した汚泥脱水ケーキを汚泥ホッパ等に搬送する手段として、フライトコンベアが多く用いられている。フライトコンベアは、一定の間隔を有し、無端チェーンに架け渡された多数のフライトと呼ばれる掻き取り板を有し、当該フライトでケーシング内の汚泥を掻き寄せるように運搬する。      
【０００３】
脱水機から排出される汚泥は、水分が多く粘着性を有するためフライトで搬送された汚泥の全量が排出口から汚泥ホッパ等に落下せず、一部の汚泥がフライトの掻き取り面に付着したままフライトコンベア内を循環するという課題が発生していた。付着して落下しない汚泥脱水ケーキは、付着の成長に従ってフライトコンベアの搬送能力を低下させるため、搬送を停止して手作業でフライト掻き取り面を清掃することが必要であった。  この課題を解決するために、フライトが回動してストッパーに当たる衝撃を利用してフライト掻き取り面に付着した汚泥脱水ケーキを落下させる方法や（特許文献１）、平ベルトコンベアを覆う風防カバー内に送風して汚泥脱水ケーキの含水率を低下させる方法（特許文献２）などが提案されている。
【先行技術文献】
【特許文献】
【０００４】
【特許文献１】特開２０１６−７９０１８公報
【特許文献２】特開２０１５−２０８７０７公報
【発明の概要】
【発明が解決しようとする課題】
【０００５】
上記のように、搬送装置に付着する汚泥脱水ケーキを取り除く方法は種々提案されているが、特許文献１に記載の方法は、フライトコンベアの新設や更新を前提としたものであり、既設フライトコンベアへの適用は不可能であった。また、特許文献２に記載の方法は、フライトコンベアではケーシング断面がフライトで塞がって送風できないため、新設でも適用不可能であった。      
【０００６】
本発明の目的は、既設フライトコンベアにも適用可能な、フライト掻き取り面への汚泥脱水ケーキ付着を防止することにある。
【課題を解決するための手段】
【０００７】
本発明は、汚泥脱水ケーキをフライトコンベアで搬送する方法であって、フライトコンベアの掻き取り面に気体を噴射することを特徴とする、汚泥脱水ケーキの搬送方法である。  本発明は、フライトコンベアの掻き取り面に気体を噴射する装置を有する、汚泥脱水ケーキの搬送装置である。
【発明の効果】
【０００８】
本発明によれば、フライトコンベアの新設／既設を問わず、フライト掻き取り面への汚泥脱水ケーキの付着を防止できる。
【図面の簡単な説明】
【０００９】
【図１】本発明のフライト掻き取り面に気体を噴射する実施形態の模式図である。
【発明を実施するための最良の形態】
【００１０】
本発明で使用するフライトコンベアは、様々なメーカーから様々な仕様の物が市販されているが、無端チェーンに架け渡された多数のフライトと呼ばれる掻き取り板でケーシング内の汚泥を掻き寄せるように運搬する形態であれば、サイズ、搬送方向、材質、搬送能力などの仕様は、本発明において特に限定されない。      
【００１１】
気体を噴射する手段は、フライト掻き取り面に付着した汚泥脱水ケーキや水を吹き飛ばすため、ノズル状の物が好ましい。一般にエアーノズルやブローノズルと呼ばれる市販品でもよいし、配管の末端でもよい。噴射口の形状は、丸穴、幅広扁平穴等、様々なものが市販されているが、本発明において特に限定されない。      
【００１２】
気体を噴射する位置は、フライト掻き取り面に付着した汚泥脱水ケーキや水滴を吹き飛ばすため、フライトコンベアのフライト戻り側である。最も好ましい位置は、フライト戻り側を走行するフライト掻き取り面の自然乾燥時間を最大に得られる、フライトコンベアの排出口直後である。      
【００１３】
気体を噴射する手段とフライト掻き取り面との位置関係は、気体がフライト掻き取り面に当たれば特に限定されず、フライトが通過する空間上を除けば任意の位置に設置できる。気体がフライト掻き取り面に当たる時間をできるだけ長く得られる位置を、各現場で設定すればよい。      
【００１４】
噴射する気体の種類は、本発明において特に限定されないが、汚泥脱水ケーキを搬送するフライトコンベアは一般的に大気中に設置され、噴出後の気体を大気放散する際に処理が不要なことから、空気が最も好ましい。      
【００１５】
気体の噴出速度は、フライト掻き取り面に付着した汚泥脱水ケーキや水を吹き飛ばすため、できるだけ大きい方が好ましいが、省エネの観点からはできるだけ小さい方が好ましい。フライト掻き取り面への汚泥脱水ケーキ付着を防止する効果を得られるよう、各現場で設定すればよい。      
【００１６】
気体の温度についても同様、フライト掻き取り面に付着した汚泥脱水ケーキや水を乾燥させるため、できるだけ高い方が好ましいが、省エネの観点からは気温と同程度が最も好ましい。フライト掻き取り面への汚泥脱水ケーキ付着を防止する効果を必要最低限得られる範囲で、各現場で設定すればよい。もし加熱が必要な場合、その手段は蒸気トレースや電気ヒータなど考えられるが、本発明において特に限定されない。      
【００１７】
搬送物である汚泥脱水ケーキとしては、活性汚泥処理設備から発生する余剰汚泥、凝集沈殿処理設備から発生する凝集沈殿汚泥など種々あるが、本発明において特に限定されない。汚泥脱水ケーキの脱水装置や含水率についても、本発明において特に限定されない。
【実施例】
【００１８】
以下、実施例及び比較例により本発明を具体的に説明するが、本発明はこれらに限定されるものではない。      
【００１９】
（実施例１）  フライトコンベア（椿本バルクシステム製ＮＦＶ１６０）に気体を噴射するノズルを設置して、汚泥脱水ケーキの搬送を実施した。  気体を噴射するノズルとして、１０Ａ配管を８０ｍｍ間隔に３ヶ所、フライトコンベア排出口側の端点から２０００ｍｍの位置に、フライト掻き取り面の鉛直上１００ｍｍの位置に設置した。また、気体として０．１ＭＰａの圧力空気を使用した。  汚泥脱水ケーキとして、余剰汚泥２３％と凝集沈殿汚泥７７％の混合汚泥を、石垣製フィルタープレス脱水機ＩＳＤＣ−Ｈ１０００で含水率６３％に脱水したものを、１０ｔ／日用いた。  上記の条件で３１日の連続運転を行い、その間に発生した手作業によるフライト掻き取り面清掃は、６５回であった。      
【００２０】
（比較例１）  実施例１の気体の噴射を停止したこと以外は全て同じ条件で、汚泥脱水ケーキの搬送を実施した。  実施例１と同様に２９日の連続運転を行い、その間に発生した手作業によるフライト掻き取り面清掃は、１７２回であった。      
【００２１】
フライトコンベアに気体噴射を行った実施例１は、気体噴射を停止した比較例１に比べ、フライトコンベアの掻き取り面への汚泥の付着を格段に低下させることができた。
【符号の説明】
【００２２】
１０…フライトコンベア、１１…ケーシング、１２…フライト、１３…汚泥脱水ケーキ、１４…気体噴射ノズル 
【図１】
2019171251.tif 000003